【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
偏光光束の偏光状態を制御することにより画像を表示する画像表示素子と、
前記偏光光束を前記画像表示素子に導く照明光学系と、
前記照明光学系と前記画像表示素子との間にＳ偏光を反射、Ｐ偏光を透過することにより入射光を検光する偏光分離膜を有する偏光ビームスプリッタと、
前記画像表示素子により表示された画像を投射面に投射する投射光学系を取り付ける取り付け部とを有し、
前記偏光分離膜の法線と前記画像表示素子の法線とに平行な断面において、前記画像表示素子の中心から射出し、前記投射光学系内で最も前記画像表示素子に近い光学面と前記投射光学系の光軸との交点に入射する光線の光路と前記偏光分離膜が成す角度が４５°未満であることを特徴とする画像表示装置。
【請求項２】
前記偏光分離膜に対して４５°を成す線であって前記照明光学系の光軸に平行な線と、前記投射光学系の光軸は一致しないことを特徴とする請求項１に記載の画像表示装置。
【請求項３】
前記偏光ビームスプリッタの屈折率をｎとすると、ｎ＞１．６である事を特徴とする請求項１または２に記載の画像表示装置。
【請求項４】
前記照明光学系は、光源側から投射面に向かって順に正レンズ、第１の負のシリンドリカルレンズ、第２の負のシリンドリカルレンズを有し、
前記正レンズと前記第１の負のシリンドリカルレンズは第１の断面において光束を圧縮し、前記正レンズと前記第２の負のシリンドリカルレンズは前記照明光学系の光軸を通り前記第１の断面に直交する第２の断面において光束を圧縮し、前記光束の圧縮率が前記第１の断面と前記第２の断面で異なる事を特徴とする請求項１乃至３いずれか１項に記載の画像表示装置。
【請求項５】
前記画像表示素子に入射する光は、緑の波長帯域の光であることを特徴とする請求項１乃至４いずれか１項に記載の画像表示装置。
【請求項６】
偏光光束の偏光状態を制御することにより画像を表示する第１、第２および第３の画像表示素子と、
前記第１、第２および第３の画像表示素子に前記偏光光束を導く照明光学系と、
前記照明光学系から出射された光を第１の色光と、第２、第３の色光に分離する色分離素子と、
前記色分離素子と前記第１の画像表示素子との間にＳ偏光を反射、Ｐ偏光を透過することにより入射光を検光する偏光分離膜を有する第１の偏光ビームスプリッタと、
前記色分離素子と前記第２および第３の画像表示素子との間にＳ偏光を反射、Ｐ偏光を透過することにより入射光を検光する偏光分離膜を有する第２の偏光ビームスプリッタと、
前記第１、第２および第３の画像表示素子により反射された光を合成する合成素子と、前記合成素子により合成された光を投射面に投射する投射光学系を取り付ける取り付け部とを有し、
前記偏光分離膜の法線と前記画像表示素子の法線とに平行な断面において、前記画像表示素子の中心から射出し、前記投射光学系内で最も前記画像表示素子に近い光学面と前記投射光学系の光軸との交点に入射する光線の光路と前記偏光分離膜が成す角度が４５°未満であることを特徴とする画像表示装置。
【請求項７】
前記第１の色光は緑の波長帯域の光であることを特徴とする請求項６に記載の画像表示装置。
【請求項８】
前記取り付け部に取り付ける投射光学系を有することを特徴とする請求項１乃至７のいずれか１項に記載の画像投射装置。
【請求項９】
偏光光束の偏光状態を制御することにより画像を表示する画像表示素子と、
前記偏光光束を前記画像表示素子に導く照明光学系と、
前記照明光学系と前記画像表示素子との間にＳ偏光を反射、Ｐ偏光を透過することにより入射光を検光する偏光分離膜を有する偏光ビームスプリッタと、
前記画像表示素子により表示された画像を投射面に投射する投射光学系とを有し、
前記偏光分離膜の法線と前記画像表示素子の法線とに平行な断面において、前記画像表示素子の中心から射出し、前記投射光学系内で最も前記画像表示素子に近い光学面と前記投射光学系の光軸との交点に入射する光線の光路と前記偏光分離膜が成す角度が４５°未満となるように、前記投射光学系が配置されていることを特徴とする画像表示装置。
【請求項１０】
偏光光束の偏光状態を制御することにより画像を表示する第１、第２および第３の画像表示素子と、
前記第１、第２および第３の画像表示素子に前記偏光光束を導く照明光学系と、
前記照明光学系から出射された光を第１の色光と、第２、第３の色光に分離する色分離素子と、
前記色分離素子と前記第１の画像表示素子との間にＳ偏光を反射、Ｐ偏光を透過することにより入射光を検光する偏光分離膜を有する第１の偏光ビームスプリッタと、
前記色分離素子と前記第２および第３の画像表示素子との間にＳ偏光を反射、Ｐ偏光を透過することにより入射光を検光する偏光分離膜を有する第２の偏光ビームスプリッタと、
前記第１、第２および第３の画像表示素子により反射された光を合成する合成素子と、
前記合成素子により合成された光を投射面に投射する投射光学系とを有し、
前記偏光分離膜の法線と前記画像表示素子の法線とに平行な断面において、前記第１の画像表示素子の中心から射出し、前記投射光学系内で最も前記画像表示素子に近い光学面と前記投射光学系の光軸との交点に入射する光線の光路と前記偏光分離膜が成す角度が４５°未満となるように、前記投射光学系が配置されていることを特徴とする画像表示装置。
【請求項１１】
偏光光束の偏光状態を制御することにより画像を表示する画像表示素子と、
前記偏光光束を前記画像表示素子に導く照明光学系と、
前記照明光学系と前記画像表示素子との間にＳ偏光を反射、Ｐ偏光を透過することにより入射光を検光する偏光分離膜を有する偏光ビームスプリッタと、
前記画像表示素子により表示された画像を投射面に投射する投射光学系を取り付ける取り付け部とを有し、
前記偏光分離膜の法線と前記画像表示素子の法線とに平行な断面において、前記画像表示素子の中心から射出し、前記投射光学系内で最も前記画像表示素子に近い光学面と前記投射光学系の光軸との交点に入射する光線の前記偏光分離膜からの射出角度が４５°より大きくなるように、前記取り付け部が配置されていることを特徴とする画像表示装置。
【請求項１２】
偏光光束の偏光状態を制御することにより画像を表示する第１、第２および第３の画像表示素子と、
前記第１、第２および第３の画像表示素子に前記偏光光束を導く照明光学系と、
前記照明光学系から出射された光を第１の色光と、第２、第３の色光に分離する色分離素子と、
前記色分離素子と前記第１の画像表示素子との間にＳ偏光を反射、Ｐ偏光を透過することにより入射光を検光する偏光分離膜を有する第１の偏光ビームスプリッタと、
前記色分離素子と前記第２および第３の画像表示素子との間にＳ偏光を反射、Ｐ偏光を透過することにより入射光を検光する偏光分離膜を有する第２の偏光ビームスプリッタと、
前記第１、第２および第３の画像表示素子により反射された光を合成する合成素子と、
前記合成素子により合成された光を投射面に投射する投射光学系を取り付ける取り付け部とを有し、
前記偏光分離膜の法線と前記画像表示素子の法線とに平行な断面において、前記第１の画像表示素子の中心から射出し、前記投射光学系内で最も前記画像表示素子に近い光学面と前記投射光学系の光軸との交点に入射する光線の前記偏光分離膜からの射出角度が４５°より大きくなるように、前記取り付け部が配置されていることを特徴とする画像表示装置。
【請求項１３】
偏光光束の偏光状態を制御することにより画像を表示する画像表示素子と、
前記偏光光束を前記画像表示素子に導く照明光学系と、
前記照明光学系と前記画像表示素子との間にＳ偏光を反射、Ｐ偏光を透過することにより入射光を検光する偏光分離膜を有する偏光ビームスプリッタと、
前記画像表示素子により表示された画像を投射面に投射する投射光学系とを有し、
前記偏光分離膜の法線と前記画像表示素子の法線とに平行な断面において、前記画像表示素子の中心から射出し、前記投射光学系内で最も前記画像表示素子に近い光学面と前記投射光学系の光軸との交点に入射する光線の前記偏光分離膜からの射出角度が４５°より大きくなるように、前記投射光学系が配置されていることを特徴とする画像表示装置。
【請求項１４】
偏光光束の偏光状態を制御することにより画像を表示する第１、第２および第３の画像表示素子と、
前記第１、第２および第３の画像表示素子に前記偏光光束を導く照明光学系と、
前記照明光学系から出射された光を第１の色光と、第２、第３の色光に分離する色分離素子と、
前記色分離素子と前記第１の画像表示素子との間にＳ偏光を反射、Ｐ偏光を透過することにより入射光を検光する偏光分離膜を有する第１の偏光ビームスプリッタと、
前記色分離素子と前記第２および第３の画像表示素子との間にＳ偏光を反射、Ｐ偏光を透過することにより入射光を検光する偏光分離膜を有する第２の偏光ビームスプリッタと、
前記第１、第２および第３の画像表示素子により反射された光を合成する合成素子と、
前記合成素子により合成された光を投射面に投射する投射光学系とを有し、
前記偏光分離膜の法線と前記画像表示素子の法線とに平行な断面において、前記第１の画像表示素子の中心から射出し、前記投射光学系内で最も前記画像表示素子に近い光学面と前記投射光学系の光軸との交点に入射する光線の前記偏光分離膜からの射出角度が４５°より大きくなるように、前記投射光学系が配置されていることを特徴とする画像表示装置。
【請求項１５】
偏光光束の偏光状態を制御することにより画像を表示する第１、第２および第３の画像表示素子と、
前記第１、第２および第３の画像表示素子に前記偏光光束を導く照明光学系と、
前記照明光学系から出射された光を第１の色光と、第２、第３の色光に分離する色分離素子と、
前記色分離素子と前記第１の画像表示素子との間に設けられ、Ｓ偏光を反射、Ｐ偏光を透過することにより入射光を検光する第１の偏光ビームスプリッタと、
前記色分離素子と前記第２および第３の画像表示素子との間に設けられ、Ｓ偏光を反射、Ｐ偏光を透過することにより入射光を検光する第２の偏光ビームスプリッタと、
前記第１、第２および第３の画像表示素子により反射された光を合成する合成素子と、
前記合成素子により合成された光を投射面に投射する投射光学系を取り付ける取り付け部とを有し、
前記色分離素子の色分離面を含む平面と前記第１および第２偏光ビームスプリッタの偏光分離面を含む平面とが直交するように、前記色分離素子、前記第１及び第２偏光ビームスプリッタが配置された画像表示装置であって、
前記第１の色光は前記合成素子により反射されることにより、第２及び第３の色光と合成され、
前記第１の偏光ビームスプリッタと前記合成素子とが並ぶ方向において、前記投射光学系の光軸が、前記照明光学系の光軸上の光路を辿った光線の前記合成素子からの射出側光路よりも前記第１の偏光ビームスプリッタ側に位置するように、前記取り付け口が配置されていることを特徴とする画像表示装置。
【請求項１６】
偏光光束の偏光状態を制御することにより画像を表示する第１、第２および第３の画像表示素子と、
前記第１、第２および第３の画像表示素子に前記偏光光束を導く照明光学系と、
前記照明光学系から出射された光を第１の色光と、第２、第３の色光に分離する色分離素子と、
前記色分離素子と前記第１の画像表示素子との間に設けられ、Ｓ偏光を反射、Ｐ偏光を透過することにより入射光を検光する第１の偏光ビームスプリッタと、
前記色分離素子と前記第２および第３の画像表示素子との間にＳ偏光を反射、Ｐ偏光を透過することにより入射光を検光する第２の偏光ビームスプリッタと、
前記第１、第２および第３の画像表示素子により反射された光を合成する合成素子と、
前記合成素子により合成された光を投射面に投射する投射光学系とを有し、
前記色分離素子の色分離面を含む平面と前記第１および第２偏光ビームスプリッタの偏光分離面を含む平面とが直交するように、前記色分離素子、前記第１及び第２偏光ビームスプリッタが配置された画像表示装置であって、
前記第１の色光は前記合成素子により反射されることにより第２及び第３の色光と合成され、
前記第１の偏光ビームスプリッタと前記合成素子とが並ぶ方向において、前記投射光学系の光軸が、前記照明光学系の光軸上の光路を辿った光線の前記合成素子からの射出側光路よりも前記第１の偏光ビームスプリッタ側に位置するよう、前記投射光学系が配置されていることを特徴とする画像表示装置。